(57)【特許請求の範囲】
【請求項１】
個人端末から入力された作業者のスケジュールおよび作業者の離席時に実行するアプリケーションおよび該アプリケーションを実行するために必要とする想定処理時間をデータベースに登録する登録手段と、ＩＣカードとＩＣカードリーダを利用して取得した作業者の所在情報を受信して前記データベースに格納・管理する所在管理手段と、作業者が事前に登録した前記スケジュールと前記作業者の前記所在情報により作業者の離席時間を計算する離席時間計算手段と、作業者の離席時に、該作業者の前記離席時間と前記アプリケーションの想定処理時間を比較し、比較結果に基づいて前記データベースに登録されているアプリケーションを一つ選択し、選択されたアプリケーションの実行指示を前記個人端末へ送信するアプリケーション実行制御手段と、前記作業者の前記離席時間および前記作業者の前記所在情報から作業者の前記スケジュールを自動的にリスケジュールするスケジュール管理手段と、前記個人端末からの照会要求により前記データベースに登録された情報を該個人端末に提供する情報提供手段とを有し、
前記離席時間計算手段は、前記スケジュールと離席中の作業者の前記所在情報が合致した場合には前記スケジュールから、合致しない場合には作業者の平均離席時間から前記離席時間を算出することを特徴とする所在管理システム。
【請求項２】
前記ＩＣカードを作業者が保持し、前記ＩＣカードリーダを個人端末および会議室に設置し、前記ＩＣカードリーダにより前記ＩＣカードを読み取ることにより前記作業者の前記所在情報、滞在時間を収集し、該作業者が個人端末から離れた際に、作業者の離席を検知し、前記個人端末にロック指示信号を送出する手段を有することを特徴とする請求項１記載の所在管理システム。
【請求項３】
前記会議室の利用状況を前記ＩＣカードおよび前記ＩＣカードリーダを用いてリアルタイムに収集することにより利用実績情報を算出し、該会議室の利用実績情報をもとに、作業者が事前に登録した前記スケジュールを自動的にリスケジュールするスケジュール管理手段を有することを特徴とする請求項１または２に記載の所在管理システム。
【請求項４】
前記会議室の利用状況を前記ＩＣカードおよび前記ＩＣカードリーダを用いてリアルタイムに収集することにより利用実績情報を算出し、前記個人端末からの照会要求に応じて、前記会議室の予約状況および利用実績状況を前記個人端末に提供する手段を有することを特徴とする請求項１または２に記載の所在管理システム。
【請求項５】
個人端末から入力された作業者のスケジュールおよび作業者の離席時に実行するアプリケーションおよび該アプリケーションの想定処理時間をデータベースに登録する登録手順と、ＩＣカードとＩＣカードリーダを利用して取得した作業者の所在情報を受信して前記データベースに格納・管理する手順と、作業者が事前に登録した前記スケジュールと前記作業者の前記所在情報により作業者の離席時間を計算する離席時間計算手順と、作業者の離席時に、該作業者の前記離席時間と前記アプリケーションの想定処理時間を比較し、比較結果に基づいて前記データベースに登録されているアプリケーションを一つ選択し、選択されたアプリケーションの実行指示を前記個人端末へ送信するアプリケーション実行制御手順と、前記作業者の前記離席時間および前記作業者の前記所在情報から作業者の前記スケジュールを自動的にリスケジュールするスケジュール管理手順と、前記個人端末からの照会要求により前記データベースに登録された情報を該個人端末に提供する情報提供手順を有し、
前記離席時間計算手順は、前記スケジュールと離席中の作業者の前記所在情報が合致した場合には前記スケジュールから、合致しない場合には作業者の平均離席時間から前記離席時間を算出することを特徴とする所在管理方法。
【請求項６】
前記ＩＣカードを作業者が保持し、前記ＩＣカードリーダを個人端末および会議室に設置し、前記ＩＣカードリーダにより前記ＩＣカードを読み取ることにより前記作業者の前記所在情報、滞在時間を収集し、該作業者が個人端末から離れた際に、作業者の離席を検知し、前記個人端末にロック指示信号を送出する手順を有することを特徴とする請求項５記載の所在管理方法。
【請求項７】
前記会議室の利用状況を前記ＩＣカードおよび前記ＩＣカードリーダを用いてリアルタイムに収集することにより利用実績情報を算出する手順と、該会議室の利用実績情報をもとに、作業者が事前に登録した前記スケジュールを自動的にリスケジュールするスケジュール管理手順を有することを特徴とする請求項５または６に記載の所在管理方法。
【請求項８】
前記会議室の利用状況を前記ＩＣカードおよび前記ＩＣカードリーダを用いてリアルタイムに収集することにより利用実績情報を算出する手順と、前記個人端末からの照会要求に応じて、前記会議室の予約状況および利用実績状況を前記個人端末に提供する手順を有することを特徴とする請求項５または６に記載の所在管理方法。
【請求項９】
コンピュータに、請求項５から８のいずれかに記載の所在管理方法における各手順を実行させるプログラム。
【発明の詳細な説明】
【技術分野】
【０００１】
本発明は、作業者の所在を管理する所在管理システム技術に係り、ＩＣカード（ＩＣタグ）およびＩＣカードリーダ（ＩＣタグリーダ）を用いて、作業者の所在、会議室の利用状況を管理するとともに、作業者が個人端末から離席した場合に該個人端末を自動的にロック、作業者が会議などにより一定時間個人端末から離席した際に、作業者が個人端末より事前に登録したスケジュールと所在情報に応じて離席時間を推測し、その間作業者の個人端末にて事前に作業者が登録したアプリケーションを自動実行するようにした所在管理システムおよび所在管理方法ならびにそのためのプログラムである。
【０００２】
また、会議室の利用実績管理システムに関し、ＩＣカードおよびＩＣカードリーダを用いて作業者の会議室の利用状況をリアルタイムに集計し、その会議室の利用実績をもって作業者が事前に登録したスケジュールを状況に応じて自動的にリスケジュールし、作業者個人の作業管理へ反映するものであり、合せて、リアルタイムに会議室利用実績の管理、照会を行うものである。
【背景技術】
【０００３】
従来の施設管理システムは、施設の利用予約を行った利用者ＩＤに対して、その後の施設予約システム利用時に施設予約を行った旨を認識させ、さらに施設の利用状況を管理し、他の利用者への施設の利用状況などの照会や、施設利用者へ利用の抑止などを可能とするものである（例えば、特許文献１「施設予約システム、施設予約方法及びプログラム並びに記録媒体」参照）。
【０００４】
また、従来の作業者の離席時における情報処理装置のオペレーティングシステムは、作業者の離席を検知し、必要なセキュリティ施策、例えば端末をロックすることや、作業中であるアプリケーションを自動的に保存することを可能とするものである（例えば、特許文献２「部分的にウィンドウをロックする情報処理装置およびこの情報処理装置を動作させるプログラム」，特許文献３「マルチウィンドウ情報処理装置およびオペレーティングシステム」参照）。
【先行技術文献】
【特許文献】
【０００５】
【特許文献１】特開２００８-３１０３８１号公報
【特許文献２】特開２００６-３０２１９９号公報
【特許文献３】特開２０００-３０５８２６号公報
【発明の概要】
【発明が解決しようとする課題】
【０００６】
上述した従来の施設管理システムは、該当施設の利用状況の把握、特定の利用者へ施設の利用を抑止することは可能であるが、利用者の利用状況を利用者個人の利用実績に反映を行っていないという課題があった。
【０００７】
また、上述した作業者の離席時における情報処理装置のオペレーティングシステムは、作業者の離席中に端末ロックを行うこと、作業中のアプリケーションの保存を行うことは可能であったが、特定の動作に限定され、作業者の要望に応じたアプリケーションの自動実行を行っていないという課題があった。
【０００８】
また、施設管理システムと離席時における情報処理装置のオペレーティングシステムの情報を連携して、例えば会議などにて長時間離席する際に、離席時間を計算し、その時間に応じたアプリケーションの自動実行を行っておらず、作業者の離席中にＰＣを有効活用できていないという課題があった。
【０００９】
本発明は、上記の課題を解決するためになされたもので、作業者の個人端末の不稼動時間を減少させること、作業効率をあげること、作業者個人の作業管理にかかる部分を効率化できる所在管理システムおよび所在管理方法およびそのためのプログラムを提供することを目的としている。
【課題を解決するための手段】
【００１０】
本発明は、上記目的を達成するために、各種作業担当者の個人端末、および各個人端末、各作業場所に設置されたＩＣカードリーダ、およびＩＣカードリーダの管理システムと通信ネットワークを介して接続され、作業者が事前に登録したアプリケーションを作業者の離席時間に応じて実行、会議室の利用実績に応じて、作業者の作業スケジュールを自動的にリスケジュールする管理サーバを備えた所在管理システムであって、管理サーバは、作業者が個人端末の画面から作業者個人のスケジュール、離席中に実行するアプリケーションを登録・編集する機能、離席状況や会議室などの利用状況を検知し、ＩＣカードリーダ設置場所ごとの滞在時間の集計する機能、作業者が登録した情報と離席状況や会議室などの利用実績から離席時間を計算する機能と、作業者の離席を検知し、端末の自動ロック、作業中ファイルを保存する機能と、事前に作業者により登録されたアプリケーションを作業者の推定離席時間に応じて自動実行を指示する機能と、会議室の利用実績から作業者が事前に登録したスケジュールを自動的にリスケジュールする機能と、照会要求により情報を提供する情報提供機能を有することを特徴としている。
【００１１】
以下、本発明の構成をより詳しく述べる。
（ａ）本発明に係る所在管理システムは、個人端末から入力された作業者のスケジュールおよび作業者の離席時に実行するアプリケーションおよび該アプリケーションを実行するために必要とする想定処理時間をデータベースに登録する登録手段と、ＩＣカードとＩＣカードリーダを利用して取得した作業者の所在情報を受信して前記データベースに格納・管理する所在管理手段と、作業者が事前に登録したスケジュールと前記作業者の所在情報により作業者の離席時間を計算する離席時間計算手段と、作業者の離席時に、該作業者の離席時間と前記アプリケーションの想定処理時間の比較し、比較結果に基づいて前記データベースに登録されているアプリケーションを一つ選択し、選択されたアプリケーションの実行指示を前記個人端末へ送信するアプリケーション実行制御手段と、前記作業者の離席時間および前記作業者の所在情報から作業者のスケジュールを自動的にリスケジュールするスケジュール管理手段と、前記個人端末からの照会要求により前記データベースに登録された情報を該個人端末に提供する情報提供手段（情報照会手段）とを有することを特徴とする。
【００１２】
（ｂ）また、前記ＩＣカードを作業者が保持し、前記ＩＣカードリーダを個人端末および会議室に設置し、前記ＩＣカードリーダにより前記ＩＣカードを読み取ることにより前記作業者の所在情報、滞在時間を収集し、該作業者が個人端末から離れた際に、作業者の離席を検知し、前記個人端末にロック指示信号を送出する手段を有することを特徴とする。
【００１３】
（ｃ）また、前記会議室の利用状況を前記ＩＣカードおよび前記ＩＣカードリーダを用いてリアルタイムに収集することにより利用実績情報を算出し、該会議室の利用実績情報をもとに、作業者が事前に登録したスケジュールを自動的にリスケジュールするスケジュール管理手段を有することを特徴とする。
【００１４】
（ｄ）また、前記会議室の利用状況を前記ＩＣカードおよび前記ＩＣカードリーダを用いてリアルタイムに収集することにより利用実績情報を算出し、前記個人端末からの照会要求に応じて、前記会議室の予約状況および利用実績状況を前記個人端末に提供する手段を有することを特徴とする。
【００１５】
（ｅ）また、本発明に係る所在管理方法は、個人端末から入力された作業者のスケジュールおよび作業者の離席時に実行するアプリケーションおよび該アプリケーションの想定処理時間をデータベースに登録する登録手順と、ＩＣカードとＩＣカードリーダを利用して取得した作業者の所在情報を受信して前記データベースに格納・管理する手順と、作業者が事前に登録したスケジュールと前記作業者の所在情報により作業者の離席時間を計算する離席時間計算手順と、作業者の離席時に、該作業者の離席時間が前記アプリケーションの想定処理時間を超えた場合に前記データベースに登録されているアプリケーションの実行指示を前記個人端末へ送信するアプリケーション実行制御手順と、前記作業者の離席時間および前記作業者の所在情報から作業者のスケジュールを自動的にリスケジュールするスケジュール管理手順と、前記個人端末からの照会要求により前記データベースに登録された情報を該個人端末に提供する情報提供手順を有することを特徴とする。
【００１６】
（ｆ）また、前記ＩＣカードを作業者が保持し、前記ＩＣカードリーダを個人端末および会議室に設置し、前記ＩＣカードリーダにより前記ＩＣカードを読み取ることにより前記作業者の所在情報、滞在時間を収集し、該作業者が個人端末から離れた際に、作業者の離席を検知し、前記個人端末にロック指示信号を送出する手順を有することを特徴とする。
【００１７】
（ｇ）また、前記会議室の利用状況を前記ＩＣカードおよび前記ＩＣカードリーダを用いてリアルタイムに収集することにより利用実績情報を算出する手順と、該会議室の利用実績情報をもとに、作業者が事前に登録したスケジュールを自動的にリスケジュールするスケジュール管理手順を有することを特徴とする。
【００１８】
（ｈ）また、前記会議室の利用状況を前記ＩＣカードおよび前記ＩＣカードリーダを用いてリアルタイムに収集することにより利用実績情報を算出する手順と、前記個人端末からの照会要求に応じて、前記会議室の予約状況および利用実績状況を前記個人端末に提供する手順を有することを特徴とする。
【００１９】
（ｉ）本発明に係るプログラムは、コンピュータに、上記所在管理方法における各手順を実行させるためのプログラムである。
【発明の効果】
【００２０】
本発明によれば、ＩＣカードを利用した作業者の離席状況を取得することが可能となり、離席時間に応じて、事前に登録されたアプリケーションを個人端末上で自動実行できることから、作業者の個人端末が不稼動な時間を減少させること、会議などで個人端末から離れている際にも、必要なアプリケーションを実行できることから、作業効率をあげることが期待できる。
【００２１】
また、会議室利用状況の時間実績を集計でき、集計結果をもとに作業者が事前に計画したスケジュールを自動的に見直すことができため、作業者個人の作業管理にかかる部分を効率化できる効果がある。
【図面の簡単な説明】
【００２２】
【図１】本発明を適用した所在管理システムの全体概要を示す図である
【図２】本発明を適用した所在管理システムの処理内容を示すフローチャートである
【図３】登録処理の内容を示すフローチャートである
【図４】所在管理処理の内容を示すフローチャートである
【図５】アプリケーションの自動実行処理の内容を示すフローチャートである
【図６】リスケジュール処理の内容を示すフローチャートである。
【図７】本発明を適用した所在管理システムの所在情報テーブルのデータ構成例の一部を示す図である。
【図８】本発明を適用した所在管理システムの個人端末管理情報テーブルのデータ構成例の一部を示す図である。
【図９】本発明を適用した所在管理システムのアプリケーション管理テーブルのデータ構成例の一部を示す図である。
【図１０】本発明を適用した所在管理システムの会議室実績管理テーブルのデータ構成例の一部を示す図である。
【図１１】本発明を適用した所在管理システムのスケジュール管理テーブルのデータ構成例の一部を示す図である。
【発明を実施するための形態】
【００２３】
以下、本発明を実施する場合の一形態を、図面を用いて具体的に説明する。なお、以下では、本発明に係る作業者の離席状況に応じたＰＣ自動処理機能を有する所在管理システムを、ある特定の作業者に対して適用して実施した場合を一例として説明する。
【００２４】
図１は、本発明を適用した作業者の離席状況に応じたＰＣ自動処理機能を有する作業者の所在管理システムの全体概要構成を示す図である。
【００２５】
所在管理システムは、情報収集、情報管理、登録情報の編集、各端末へのアプリケーション実行指示、各端末からの照会要求に対し、必要情報の提供を行うためのシステムである。
【００２６】
図１において、個人端末１は、例えばある作業者が使用するパソコンなどの端末であり、個人端末１ごとにＩＣカードリーダ４が設置され、また会議室などの利用施設（本発明ではこれらを総称して会議室とする）にはＩＣカードリーダ４ａが設置されており、ＩＣカードリーダ４からの作業者の在席や離席の情報、ＩＣカードリーダ４ａからの所在情報を管理サーバ２へ配信し、一定時間の離席時に実行するアプリケーションの登録、会議室の利用予定、作業のスケジュールの登録、会議室の利用状況の照会などの処理を実施する。
【００２７】
管理サーバ２は、例えばＬＡＮ（ローカルエリアネットワーク）などのネットワーク３を介して、個人端末１ごとに設置されたＩＣカードリーダ４および会議室などに設置された１以上のＩＣカードリーダ４ａにより取得された作業者の所在情報の収集および管理、個人端末１からの登録情報の管理、個人端末１からの照会要求に対する情報の提供、個人端末１へのアプリケーション実行の指示、個人端末１から事前に登録された作業者のスケジュールを会議室の利用実績に応じて、自動的にリスケジュールするサーバシステムであり、登録受付手段７、データベース８、所在管理手段９、アプリケーション実行制御手段１０、離席時間計算手段１１、スケジュール管理手段１２、情報照合手段１３から構成される。
【００２８】
個人端末１へ設置したＩＣカードリーダ４は、該当するＩＣカードが一定範囲内に存在する場合、作業者が在席中であるとし、一定距離離れた場合に、作業者が離席したとする仕組みを有し、会議室などに設置するＩＣカードリーダ４ａは入退出時に通過したＩＣカードを検知する仕組みを有する。
【００２９】
所在管理システムのネットワークＩ／Ｆ部５は、ネットワーク３に対するインターフェース処理を実施するネットワーク機器である。
【００３０】
所在管理システムのデータ送受信部６は、個人端末１とデータを送受信するモデムなどの通信機器である。
【００３１】
管理サーバ２の登録受付手段７は、データ送受信部６が、個人端末１から、初回および作業者の追加時などに端末のアドレス、会議室に設置したＩＣカードリーダなどの基本情報、離席時に実行するアプリケーション、作業者の作業スケジュールの登録を受け付けると、これらの情報をデータベース８に登録する処理を実施する。
【００３２】
管理サーバ２の所在管理手段９は、各個人端末に設置されたＩＣカードリーダ４、および会議室などに設置されたＩＣカードリーダ４ａより作業者が接近したことを受信し、データベース８へ所在情報を登録する。ＩＣカードリーダ４から離れた場合には、所在管理手段９にて、接近したことを受信した時間から離れるまでの時間をＩＣカードリーダ４の所在場所での滞在時間としてデータベース８へ登録する。
【００３３】
所在管理手段９は、作業者が個人端末から離れた情報を受信した場合、アプリケーション実行制御手段１０へ端末ロック指示情報を送信し、会議室に設置されたＩＣカード４ａからの所在情報を収集した場合、アプリケーション実行制御手段１０へアプリケーションの実行指示情報を送信する。
【００３４】
作業者が会議室などへ設置されたＩＣカードリーダ４ａから離れ、作業者の個人端末へ接続されたＩＣカードリーダ４、または別の会議室などへ設置されたＩＣカードリーダ４ａへ接近した場合、所在管理部手段９はスケジュール管理手段１２へ会議室利用終了情報を送信し、個人端末１へアプリケーション中断情報を送信する。個人端末１はアプリケーション中断情報を受信し、アプリケーションを実行している場合には、アプリケーションの実行を中断する。
【００３５】
管理サーバ２のアプリケーション実行制御手段１０は、所在管理手段９から端末ロック指示情報を受信した場合、該当する個人端末に対し、個人端末のロック指示を送信する。個人端末１は管理サーバ２よりロック指示情報を受信した場合、個人端末のロックを実行する。
【００３６】
管理サーバ２のアプリケーション実行制御手段１０は、所在管理手段９からアプリケーションの実行指示情報を受信した場合、離席時間計算手段１１へ作業者およびその所在情報を送信し、離席時間計算手段１１から実行アプリケーション情報を受信し、個人端末１へアプリケーション実行指示を送信する。
【００３７】
個人端末１は、管理サーバ２より実行アプリケーション情報を受信し、実行中のファイルを個人端末１の一時保存領域へ一時保存し、受信した情報からアプリケーションのパスを解析し、個人端末１上でアプリケーションを実行する。
【００３８】
管理サーバ２の離席時間計算手段１１は、データベース８より作業者のスケジュールを取得し、推定離席時間を算出し、該当する個人端末における実行アプリケーション情報をデータベース８より取得し、アプリケーション実行制御手段１０へ送信する。
【００３９】
管理サーバ２のスケジュール管理手段１２は、所在管理手段９から会議室利用終了情報を受信した場合、データベース８から事前に登録された作業者のスケジュール情報を取得し、事前登録情報と実績の差を算出し、実績をもとにデータベース８のスケジュール情報を更新（リスケジュール）し、スケジュール変更情報を情報照会手段１３へ送信する。
【００４０】
管理サーバ２の情報照会手段１３は、個人端末１からの受信した照会要求に対して、データベース８が保持している項目、およびスケジュール管理手段１２から受信した情報を取得し、個人端末１へ該情報の提供を行う。
【００４１】
管理サーバ２のデータベース８は、管理サーバ２の登録受付手段７により登録される情報、管理サーバ２の所在管理手段９、アプリケーション実行制御手段１０、離席時間計算手段１１、スケジュール管理手段１２により登録・参照・更新される情報を格納するデータベースであり、作業者の所在情報を格納する所在情報テーブル５００、作業者ごとの個人端末の基本情報を格納する個人端末管理情報テーブル１００、離席時に実行するアプリケーションを格納するアプリケーション管理テーブル２００、会議室の利用実績を格納する会議室実績管理テーブル４００、作業者の作業スケジュールを格納するスケジュール管理テーブル３００を具備する。以下、各テーブルの具体的な構成例を、図面を用いて説明する。
【００４２】
図７は、所在情報テーブル５００のデータ構成例の一部を示す図である。
所在情報テーブル５００は、同図に示すように、ユーザＩＤ毎の所在（自席、離席中、第１会議室、第２会議室・・など）とその認識時間を保持する。
【００４３】
図８は、個人端末管理情報テーブル１００のデータ構成例の一部を示す図である。
個人端末管理情報テーブル１００は、同図に示すように、ユーザＩＤ毎の担当者氏名とＩＰアドレスなどを保持するテーブルである。
【００４４】
図９は、アプリケーション管理テーブル２００のデータ構成例の一部を示す図である。
アプリケーション管理テーブル２００は、同図に示すように、アプリケーション名称（例えば、ウイルススキャン、更新処理、Ａバッチ・・など）毎のユーザＩＤ、該アプリケーションの想定処理時間、その優先度、進捗率、実行ファイルパスなどを保持するテーブルである。
【００４５】
図１０は、会議室実績管理テーブル４００のデータ構成例の一部を示す図である。
会議室実績管理テーブル４００は、同図に示すように、管理ユーザ毎の会議室名、予定開始日時、予定終了日時、実績開始日時、実績終了日時、利用者数などを保持するテーブルである。
【００４６】
図１１は、スケジュール管理テーブル３００のデータ構成例の一部を示す図である。
スケジュール管理テーブル３００は、同図に示すように、ユーザＩＤ毎のスケジュール（Ａプロジェクト進捗などスケジュール名）、予定開始日時、予定終了日時、実施場所（第１会議室、第２会議室・・など）、実績開始日時、実績終了日時などを保持するテーブルである。
【００４７】
図２は、本発明の実施形態１による作業者の離席状況に応じたＰＣ自動処理機能を有する所在管理システムの処理内容を説明するためのフローチャートである。
【００４８】
次に、図２に示すフローチャートを、図１に示す所在管理システムの構成図および図７〜１１に示すデータベース８の各テーブルを用いて詳細に説明する。
【００４９】
まず、所在管理システムにおける管理対象とする作業者、および端末を登録・追加する場合、作業者のＩＣカードのＩＤ、作業者個人情報、個人端末のＩＰアドレスを所在管理システムの管理権限をもったユーザ（管理者）にて登録する。管理権限をもったユーザ（管理者）からの端末管理情報の更新要求を受けると、管理サーバ２は個人端末管理情報テーブル１００を更新する。
【００５０】
すなわち、作業者が個人端末１からデータベース８へ登録・更新要求を行った場合、その作業者や個人端末１が個人端末管理情報テーブル１００に登録済みであるか否かを判断し（ステップＳ１）、登録済みでない場合は（ステップＳ１：Ｎ）、管理権限をもったユーザ（管理者）が作業者の個人情報（担当者氏名）、作業者のＩＣカードのＩＤ（ユーザＩＤ）、個人端末のＩＰアドレスを、個人端末１の画面から個人端末管理情報テーブル１００に登録する（ステップＳ２）。
【００５１】
個人端末管理情報テーブル１００に登録済みの場合は（ステップＳ１：Ｙ）、作業者が所在管理システムにログインし、作業者のスケジュール、離席中に実行する実行アプリケーション情報、およびその優先情報、想定処理時間などの情報を、アプリケーション管理テーブル２００、スケジュール管理テーブル３００、会議室実績管理テーブル４００に登録・更新する（ステップＳ３）。この際に、各情報の登録は、個人端末１を使用して、各設定情報を所在管理システムに送信することにより行われる。
【００５２】
作業者の所在は、個人端末１に設置するＩＣカードリーダ４が一定距離に該当するＩＣカードが存在しなくなったことを検知した場合、作業者が個人端末１から離れたことを管理サーバ２へ送信する（ステップＳ４）。
【００５３】
管理サーバ２は、作業者が個人端末１から離れたという情報を受信すると、所在情報テーブル５００を更新する（ステップＳ５）。
【００５４】
作業者が個人端末１を離れ（ステップＳ６：Ｙ）、会議室に設置されたＩＣカードリーダ４ａへ接近したことを検知した場合（ステップＳ７：Ｙ）、所在が会議室であることを管理サーバ２に送信する。
【００５５】
所在が会議室であることを受信した管理サーバ２は、所在情報テーブル５００を更新し、個人端末１に対し、個人端末のロック指示を送信するとともに、アプリケーション管理テーブル２００から取得した、事前に登録されたアプリケーションの実行指示情報を個人端末１に対して送信し（ステップＳ９）、個人端末１にてアプリケーションを実行する。
【００５６】
作業者が離席状態から個人端末１へ戻った際には（ステップＳ１０：Ｙ）、離席時間をもとに、スケジュール管理テーブル３００に登録されている作業者の作業実績時間を更新し、合わせて会議室の利用実績時間をもとに会議室実績管理テーブル４００の実績時間を更新する（ステップＳ１１）。
【００５７】
なお、ステップＳ７において作業者の所在が会議室でない場合は（ステップＳ７：Ｎ）、該作業者の個人端末１のＰＣをロックする（ステップＳ８）。
【００５８】
図３は、図２のステップＳ２およびステップＳ３に係る登録処理の内容を説明するためのフローチャートである。
【００５９】
管理サーバ２のデータ送受信部６は、個人端末１から送信された登録情報を受信すると、その登録要求を登録受付手段７に出力する。管理サーバ２の登録受付手段７は、登録要求を受付けると、登録情報をデータベース８に登録する。
【００６０】
より詳しくは、個人端末１からログインした者が、管理権限をもったユーザ（管理者）の場合は（ステップＡ１：Ｙ）、作業者個人情報、ＩＣカードのＩＤ、個人端末のＩＰアドレスなどを該個人端末の画面から入力する（ステップＡ２）。
【００６１】
ステップＡ２で入力された情報を管理サーバ２へ送信し、管理サーバ２のデータベース８へ登録・更新する（ステップＡ４）。
【００６２】
個人端末１からログインした作業者が、管理権限を持たないユーザ（作業者）の場合は（ステップＡ１：Ｎ）、当該作業者のスケジュール、離席中に実行するアプリケーション情報などを該個人端末１の画面から入力する（ステップＡ３）。
【００６３】
図４は、図２のステップＳ４からステップＳ８に係る所在管理処理の内容を説明するためのフローチャートである。
【００６４】
個人端末１に設置してあるＩＣカードリーダ４または会議室へ設置してあるＩＣカードリーダ４ａから所在情報を送信する（ステップＢ１）。管理サーバ２の所在管理手段９は、該所在情報をデータ送受信部６を介して受信し、データベース８の所在情報テーブル５００の所在情報を更新する（ステップＢ２）。
【００６５】
管理サーバ２の所在管理手段９は、更新した所在情報を判定し（ステップＢ３）、更新した所在が個人端末１の場合はステップＢ１に戻り、更新した所在が会議室の場合は後述する図５の処理に進み、更新した所在がそれ以外の場合には、データ送受信部６へ端末ロック指示情報を出力し、データ送受信部６は個人端末１へ端末ロック指示情報を送信する（ステップＢ４）。端末ロック指示情報を受信した個人端末１は端末ロックを実行する（ステップＢ５）。
【００６６】
図５は、図２のステップＳ７およびステップＳ９に係る、所在が会議室の場合のアプリケーション自動実行処理の内容を説明するためのフローチャートである。
【００６７】
会議室へ設置してあるＩＣカードリーダ４ａから作業者が会議室にいることを検知し、該所在情報を管理サーバ２へ送信する。管理サーバ２の所在管理手段９は該所在情報をデータ送受信部６を介して受信する。所在管理手段９は、作業者の所在が会議室であることを検知すると（ステップＣ１）、アプリケーション実行手段１０へ離席中の作業者所在情報を出力する。アプリケーション実行手段１０は、離席時間計算手段１１へ離席中の作業者所在情報を出力する。
【００６８】
管理サーバ２の離席時間計算手段１１は、作業者所在情報を取得すると、データベース８のスケジュール管理テーブル３００より、該当する作業者が事前に登録したスケジュール情報を取得する。取得したスケジュール情報と離席中の作業者の所在情報が合致した場合にはスケジュール情報から、合致しない場合には作業者の平均離席時間（例えば３０分など）から推定離席時間を算出し（ステップＣ２）、算出した推定離席時間と、データベース８のアプリケーション管理テーブル２００の実行アプリケーションの優先度、想定処理時間を基に、実行アプリケーションを選定し、アプリケーション実行手段１０へ出力する（ステップＣ３）。
【００６９】
管理サーバ２のアプリケーション実行手段１０は、離席時間計算手段１１から実行アプリケーション情報を取得し、データ送受信部６へアプリケーション実行指示を出力し、データ送受信部６は個人端末１へアプリケーション実行指示を送信する（ステップＣ４）。アプリケーション実行指示を受信した個人端末１は、実行中のファイルを一時保存領域へ一時保存し、実行指示を受けたアプリケーションのパスを解析し該アプリケーションを実行する（ステップＣ５）。
【００７０】
図６は、図２のステップＳ１１における所在管理に基づく作業者のリスケジュール処理の内容を説明するための図である。
【００７１】
管理サーバ２の所在管理手段９は、作業者が会議室から個人端末１へ戻ったことをＩＣカードリーダ４の情報をもとに検知すると（ステップＤ１）、直前の所在の滞在時間をデータベース８の会議室実績管理テーブル４００へ登録し（ステップＤ２）、スケジュール管理手段１２へ会議室利用終了情報を出力する。
【００７２】
スケジュール管理手段１２は、会議室利用終了情報を取得すると、データベース８のスケジュール管理テーブル３００から作業者が事前に登録した作業者のスケジュール情報を取得し、データベース８の会議室実績管理テーブル４００から滞在時間を取得し、該取得したスケジュール情報と滞在時間を比較し（ステップＤ３）、両者に差分がある場合には（ステップＤ４：Ｙ）、滞在時間を実績滞在時間とし、データベース８のスケジュール管理テーブル３００のスケジュール情報を該実績滞在時間に更新する（ステップＤ５）。リスケジュール情報を作成し、情報照会手段１３へ出力し、作業者が個人端末１からデータ送受信部６を介して情報照会手段１３へ照会要求を行った場合に出力可能とする。
【００７３】
照会画面には、作業者が設定した実行アプリケーション、実行したアプリケーションの履歴、実行時間、リスケジュールされた作業者のスケジュールなどが照写される。会議室の利用実績照会画面には、会議室の利用実績、リアルタイムの使用状況が照写される。
【００７４】
本発明に係る管理サーバ２の構成要素である登録受付手段７、データベース８、所在管理手段９、アプリケーション実行制御手段１０、離席時間計算手段１１、スケジュール管理手段１２、情報照合手段１３の各々の機能は、管理サーバ２を構成するコンピュータのＣＰＵ、メモリなどのハードウェアを用いて、各手段に対応するプログラムを実行することにより実現される。また、各手段に対応するプログラムは、インターネットなどのネットワークを介して、あるいはＣＤ−ＲＯＭ、ＤＶＤ、ＦＤなどの記録媒体を介して市場に流通させることができる。
【００７５】
以上、本発明の好適な実施形態について説明したが、本発明はこれらの実施形態に限定されるものではなく、本発明の範囲内において、修正・変更を加えることが可能である。
【符号の説明】
【００７６】
１：個人端末
２：管理サーバ
３：ネットワーク
４：ＩＣカードリーダ
５：ネットワークＩ／Ｆ部
６：データ送受信部
７：登録受付手段
８：データベース
９：所在管理手段
１０：アプリケーション実行制御手段
１１：離席時間計算手段
１２：スケジュール管理手段
１３：情報照会手段
１００：個人端末管理情報テーブル
２００：アプリケーション管理テーブル
３００：スケジュール管理テーブル
４００：会議室実績管理テーブル
５００：所在情報テーブル
【図１】
0005492506.tif 000002
【図２】
0005492506.tif 000003
【図３】
0005492506.tif 000004
【図４】
0005492506.tif 000005
【図５】
0005492506.tif 000006
【図６】
0005492506.tif 000007
【図７】
0005492506.tif 000008
【図８】
0005492506.tif 000009
【図９】
0005492506.tif 000010
【図１０】
0005492506.tif 000011
【図１１】
0005492506.tif 000012